【事件の表示】
　特許第３４５７８０７号「肌の不均一性改善増強剤及びそれを含有する組成物」の請求項１ないし３に係る特許に対する特許異議の申立てについて、次のとおり決定する。
【結　論】
　訂正を認める。
　特許第３４５７８０７号の請求項１ないし３に係る特許を維持する。
【理　由】
１．手続き経緯
　
　特許第３４５７８０７号に係る発明は、平成８年６月２７日に特許出願され、平成１５年８月１日に特許権の設定登録がなされ、その後、その特許について、黒岩周一郎、前田理恵により特許異議の申立てがなされ、取消しの理由の通知がなされた後、その指定期間内である平成１７年６月１６日に訂正請求がされたものである。
　　　　　　　　　　　　　　
２．訂正の適否についての判断
　　　　　　　　　　　　　　　　
（１）訂正の内容
　　　　　　　　　　　　　　　　　
　本件訂正の内容は、以下のとおりのものである。
　　　　　　　　　　　　　　　　
　請求項１の「（イ）カバノキ科バーチ（Betula pendula Roth.）、ナツメ科タイソウ（Zizyphus jujuba Mill.）、バラ科エイジツ（Rosa multiflora Thun.）、オトギリソウ科オトギリソウ（Hypericum erectum Thun.）、オトギリソウ科セイヨウオトギリソウ（Hypericum perforatum L.）、シソ科セージ（Salvia officinalis L.）、ボタン科シャクヤク（Paeonia lactiflora Pall.）、イラクサ科イラクサ（Urtica thunbergiana Sie.　又はUrtica dioica L.）」を
　「（イ）カバノキ科バーチ（Betula pendula Roth.）、ナツメ科タイソウ（Zizyphus jujuba Mill.）、オトギリソウ科オトギリソウ（Hypericum erectum Thun.）、オトギリソウ科セイヨウオトギリソウ（Hypericum perforatum L.）、イラクサ科イラクサ（Urtica thunbergiana Sie.　又はUrtica dioica L.）」と訂正し、
　
　請求項１の「（ロ）セリ科センキュウ（Ligusticum wallichi Fr.）、ショウガ科ウコン（Curcuma longa L.）、ウリ科ヘチマ（Luffa cylindria Roem.）、ゴマノハグサ科ジオウ（Rhemania glutinosa Lib.）、キク科コウカ（Carthamus tinctorius L.）、ウコギ科ニンジン（Panax ginseng C. A. Meyer）、セリ科オウゴン（Scutellaria baicalensis Geo.）バラ科トウニン（Purnus persica Bat.）。」を
　「（ロ）セリ科センキュウ（Ligusticum wallichi Fr.）、ウリ科ヘチマ（Luffa cylindria Roem.）、ゴマノハグサ科ジオウ（Rhemania glutinosa Lib.）、キク科コウカ（Carthamus tinctorius L.）、ウコギ科ニンジン（Panax ginseng C. A. Meyer）、バラ科トウニン（Purnus persica Bat.）。」と訂正する。
　
（２）訂正の目的の適否、新規事項の有無、及び特許請求の範囲の拡張・変更の存否
　
　上記訂正は、請求項１の（イ）における「バラ科エイジツ（Rosa multiflora Thun.）」、「シソ科セージ（Salvia officinalis L.）」、「ボタン科シャクヤク（Paeonia lactiflora Pall.）」、同（ロ）における「ショウガ科ウコン（Curcuma longa L.）」、「セリ科オウゴン（Scutellaria baicalensis Geo.）」を削除するものであるから、当該訂正は、特許請求の範囲の減縮を目的とするものである。
　
　そして、当該訂正事項は、願書に添付された明細書に記載された事項の範囲内であることは明らかであり、実質上特許請求の範囲を拡張し、又は変更するものではない。
　
（３）むすび
　
　したがって、上記２（１）の訂正は、特許法第１２０条の４第２項及び第３項で準用する同法第１２６条第２項、第３項の規定に適合するので、当該訂正を認める。
　
３．本件発明
　
　上記２で示したとおり上記訂正は認められるから、特許第３４５７８０７号の請求項１〜３に係る発明（以下、それぞれを「本件発明１」〜「本件発明３」という。）は、平成１７年６月１６日付け訂正請求書に添付された訂正明細書（以下、「本件明細書」という。）の請求項１〜３に記載された事項により特定される以下のとおりのものである。
　
「【請求項１】次の（イ）に示す肌の不均一性改善作用を有する植物のエッセンスから選ばれる１種または２種以上と、（ロ）に示す肌の不均一性改善増強作用を有する植物のエッセンスから選ばれる１種または２種以上とからなる、低輝度分布の不均一性、メラニン分布の不均一性または角層剥離の不均一性によって生じる肌の微細構造の不均一性を改善する、肌の微細構造の不均一性改善剤；
（イ）カバノキ科バーチ（Betula pendula Roth.）、ナツメ科タイソウ（Zizyphus jujuba Mill.）、オトギリソウ科オトギリソウ（Hypericum erectum Thun.）、オトギリソウ科セイヨウオトギリソウ（Hypericum perforatum L.）、イラクサ科イラクサ（Urtica thunbergiana Sie.　又はUrtica dioica L.）、ハス科ハス（Nelumbonaceae Nelumbo）
（ロ）セリ科センキュウ（Ligusticum wallichi Fr.）、ウリ科ヘチマ（Luffa cylindria Roem.）、ゴマノハグサ科ジオウ（Rhemania glutinosa Lib.）、キク科コウカ（Carthamus tinctorius L.）、ウコギ科ニンジン（Panax ginseng C. A. Meyer）、バラ科トウニン（Purnus persica Bat.）。
　　　　　　　　　　　
【請求項２】（イ）および（ロ）の植物のエッセンスが植物体の極性溶媒による抽出物である、請求項１に記載の肌の微細構造の不均一性改善剤。
　　　　　　　　　　　　　　　　
【請求項３】　請求項１または２に記載の肌の微細構造の不均一性改善剤を
含有するくすみ改善用の化粧料。」
　　　　　　　　　　　　
４．特許異議申立てについて　
　　　　　　　　　　　　　
４−１ 申立人黒岩周一郎による異議申立てについて
　　　　　　　　　　　　
（１）特許異議申立ての概要
　異議申立人黒岩周一郎は証拠として下記甲第１〜８号証を提出して、以下の主張をしている。
　請求項１に係る発明は、下記甲第１〜４号証に記載された発明であるか、下記甲第１〜６号証に記載された発明に基づいて当業者が容易に発明することができたものであり、請求項２、３に係る発明は、下記甲第１〜３号証に記載された発明であるか、下記甲第１〜６号証に記載された発明に基づいて当業者が容易に発明することができたものであるから、本件特許は、特許法第２９条第１項、第２項の規定に違反してなされたものである。
　請求項１〜３に係る発明は、下記甲第７〜８号証に係る出願の明細書に記載された発明と同一であるから、本件特許は、同法第２９条の２の規定に違反してなされたものである。
　本件明細書の記載には不備があり、本件特許は、同法第３６条第４及び第６項に規定された要件を満たしていない特許出願に対してなされたものである。
　よって、本件特許は、同法第１１３条第２号、第４号に該当し、同法第１１４条第２項の規定により取り消されるべきものである。
　
証拠方法
甲第１号証：「週間粧業」第1816号(4),1990年（平成2年）7月16日
甲第２号証：「週間粧業」第1846号(6),1991年（平成3年）3月25日」
甲第３号証：「週間粧業」第1744号(9),1988年（昭和63年）11月21日
甲第４号証：特開平7-157412号公報
甲第５号証：特開平5-139950号公報
甲第６号証：世界有用植物事典、946頁、平凡社、1989年8月25日
甲第７号証：特願平7-208505号の明細書（平成7年7月25日出願）　
　　　　　　〔特開平9-30931号公報（平成9年2月4日出願公開）〕
甲第８号証：特願平8-71301号の明細書（平成8年2月29日出願）　
　　　　　　〔特開平9-235218号公報（平成9年9月9日出願公開）〕
　
（２）異議申立てについての判断
　
＜本件発明１について＞
　　
ｉ）特許法第２９条第１項３号に該当するか否か
　　　　　　　　　
　甲第１号証には、新ブランド「ドクターエルウィン」の「ターゲット」として「3肌の悩み（シミ・ソバカス・小ジワ・ニキビなど）をもっている人」等を設定していること、また「シリーズ特長」として、「4・・・、植物抽出コンプレックス（人参、・・・シャクヤク・・・エイジツ・・・等のエキス）など植物性抗炎剤、抗アレルギー剤の配合で肌への刺激を抑え、安全を重視5オウゴンエキス、プラセンタエキス、植物抽出コンプレックスの働きで紫外線を防止し、活性酸素を除去して、肌の老化を防ぐ」ことが記載されている。
　甲第２号証には、「ビューティライフＵＶエッセンスＲ」について「1紫外線による肌への悪影響（シミ・ソバカス・乾燥・小ジワ等）から肌を守り、しっとりときめ細かい肌に整える昼用の保護美容液2・・・植物保湿成分（・・・タイソウ・・・オウゴン）などを配合。（ｐＨ約六）」、「同ＵＶローションＲ」について「紫外線による肌への悪影響（シミ・ソバカス・乾燥・小ジワ等）から肌を守り、しっとりとしたきめ細かい肌に整える昼用保護化粧水（植物保湿成分・・・タイソウ・・・オウゴン各エキス・・・配合の肌にやさしいライトタッチの二層タイプローション）・・・美白効果にも優れる」、「同ＵＶエマルジョンＲ」について「1ＵＶ−Ａ・Ｂ吸収剤配合で、ＵＶガードする乳液2高機能性の植物抽出液の配合により、おだやかな作用で肌を守り肌の活動を高めしなやかに保つ（・・・タイソウ・・・オウゴンの各エキス、ビタミンＢ6配合（ｐＨ約七）。ＳＰＦ８。」とそれぞれ記載されている。
　甲第４号証には、「・・・オウゴン・・・シャクヤク，ジオウ・・・の生薬を組合わせて、これらを植物油で煮出して得たエキスと馬の油を組み合わせたものを有効主成分とすることを特徴とする化粧料」につき、これが、にきび，主婦湿疹，かゆみ等の皮膚に対して副作用がなく、かつ皮膚を、より正常化させる化粧料であることが記載されている。
　そうすると、甲第１号証には、（ロ）の「ウコギ科ニンジン」を配合成分とする化粧料、甲第２号証には、（イ）の「ナツメ科タイソウ」を配合成分とする化粧料、甲第４号証には、（ロ）の「ゴマノハグサ科ジオウ」を配合成分とする化粧料の記載はあるものの、本件発明１の（イ）、（ロ）で示される植物エッセンスを同時に含有する化粧料はいずれにも記載されていない。
　甲第３号証には、「シーベヌＭＥ−１」について「新成分の植物抽出液（オウゴン・・・サルビアを配合。初めて化粧品に取り入れられた新成分が、肌のうるおいのメカニズムを助けて肌に水分をとどめ、しなやかにする」こと、その「2化粧水・スキンコンディショナー」、「3乳液・ミルキィコンディショナー」、「4クリーム・サンケアクリーム（朝用）」、「ナイトケアクリーム」、「ボディスクラブ」が「配合成分」として「植物抽出液（オウゴン・・・サルビア）」を含むことが記載されているが、本件発明１の（イ）、（ロ）の配合成分についての記載はない。
　したがって、本件発明１は甲第１〜４号証に記載された発明ではない。
　
ii）特許法第２９条第２項の規定に違反するか否か
　　　　
　甲第５号証には、「ハイドロキノン配糖体」と組み合わせる「美白作用を有する生薬又は生薬エキス」として「・・・シャクヤク、オウゴン・・・トウニン、セージ、サルビア、エイジツ・・・シラカバ・・・エイジツ・・・」が挙げられ、これらの生薬又は生薬エキスは美白作用を有するものであればよく、例えば、美白作用と関係があるといわれるチロシナーゼ活性阻害作用、抗炎症作用、抗酸化作用（スーパーオキシドディスムターゼ様作用を含む）、代謝促進作用の少なくともいずれかを有するものであることが記載されており、本件発明１の（イ）の「カバノキ科バーチ」（シラカバ）、（ロ）の「バラ科トウニン」が美白作用を有する成分として示されている。しかしながら、上記のとおりこれらの成分は多数の美白作用を有する生薬として他の多くの生薬と共に列挙されているのであって、この２種を組み合わせた具体的処方例の開示はない。また、甲第６号証には「シソ科セージ」についての記載に留まるものであり、（イ）、（ロ）に該当する成分の記載はない。
　さらに、甲第１〜６号証の記載を総合勘案しても、本件発明１の（イ）、（ロ）で示される植物エッセンスを併用して肌の微細構造の不均一性改善剤とすることの動機付けを導き出すことはできない。
　そして、本件発明１は、（イ）、（ロ）の植物エッセンスを併用することにより明細書に記載のとおりの効果を奏するものである。
　したがって、本件発明１を甲第１〜６号証に記載された発明に基づいて、当業者が容易に想到し得たとすることはできない。
　
iii）特許法第２９条の２に該当するか
　
　甲第７号証には、「・・・オウゴン・・・の生薬抽出物を必須成分として配合することを特徴とする化粧料」及び「・・・オウゴン・・・の生薬抽出物を必須成分として配合し、さらに・・・センキュウ、シャクヤク、ジオウ・・・の生薬抽出物の群から選ばれる一種又は二種以上を配合した請求項1記載の化粧料」が記載され、これらが優れた肌あれ改善効果を有することが記載されている。また、具体例２〜５には、「オウレン、オウバク、オウゴン、サンシシ、トウキ、センキュウ、シャクヤク、ジオウ、レンギョウ、ケイガイ、ヨクイニン、サイコ、カンゾウ」の各々又は混合したものの抽出物を得たことが示され、表９の実施例3には「オウゴン抽出物」、「シャクヤク抽出物」を含有する化粧水、同実施例5には「オウゴン抽出物」、「ジオウ抽出物」、「シャクヤク抽出物」、「センキュウ抽出物」を含有する化粧水、表１２の実施例2には「オウゴン抽出物」、「シャクヤク抽出物」を含有するリップクリームが開示されている。
　甲第８号証には、「植物抽出物が配合されている化粧料」が記載され、 前記植物抽出物が、オウゴン・・・センキュウ、シャクヤク、ニンジン・・・サルビア・・・からなる群から選択されたものであり、配合された化粧料の感触及び安定性が良好となるものであるとの記載がある。また、表２の実施例２、比較例６〜８には、「オウゴンエキス」と「シャクヤクエキス」を配合した化粧料が記載されている。
 そうすると、甲第７号証には、（ロ）の「セリ科センキュウ」、「ゴマノハグサ科ジオウ」を含有する化粧料が記載され、甲第８号証には、植物抽出物として（ロ）の「セリ科センキュウ」、「ウコギ科ニンジン」の例示はみられるが、本件発明１の（イ）、（ロ）で示される植物エッセンスを同時に含有する化粧料は記載されていない。
　よって、本件発明１と甲第７、８号証に記載された発明は同一ではない。
　
＜本件発明２，３について＞
　
　本件発明２、３は何れも本件発明１の（イ）、（ロ）の植物エッセンスを併用するという特定事項を備えるものであるから、上記と同様の理由により甲第１〜３号証と同一であるとも、甲第１〜６号証から容易であるとすることはできず、また、甲第７、８号証に記載された発明と同一でもない。
　
＜本件明細書の記載について＞
　
　申立人の主張は、請求項１では、（イ）、（ロ）の植物エッセンスを併用することのほか、更に低輝度分布の不均一性、メラニン分布の不均一性または角層剥離の不均一性によって生じる肌の微細構造の不均一性を改善するという作用効果を有することも規定しているが、本件明細書には、併用の例は実施例１〜１０の組み合わせのみであり、そのうち実施例２〜７は配合例のみで作用効果についての記載がないこと、（イ）の「シソ科セージ」については製造例も実施例もないことをその根拠とするものである。
　しかしながら、訂正により「シソ科セージ」は削除され、本件明細書の実施例８において（イ）のすべての植物エッセンスは（ロ）の「セリ科センキュウ」により増強された肌の不均一性改善作用を示すこと（表１参照）、実施例９において（ロ）のすべての植物エッセンスは（イ）の「カバノキ科バーチ」と併用した場合に、肌の不均一性改善増強作用があること（表２参照）が具体的測定値により示され、実施例１０では（イ）の「カバノキ科バーチ」、（ロ）の「セリ科センキュウ」についての化粧水の使用テストの結果が、それぞれを単独使用した場合より、併用した場合にくすみ改善効果が得られることが示されている。
　これらの記載は、実施例として具体的な測定結果が示されていない（イ）、（ロ）の植物エッセンスの組み合わせであっても、肌の微細構造の不均一性改善効果が奏されることを十分に推認するに足りるものであるから上記主張は理由がない。
　したがって、本件明細書に記載の不備はなく、本件特許が特許法第３６条第４項、第６項に規定する要件を満たしていない特許出願に対してされたものとすることはできない。
　　　
４−２　申立人前田理恵による異議申立てについて
　　　　　　　　　　
（１）特許異議申立ての概要
　　　　　　　　　　　　
　申立人前田理恵は証拠方法として甲第１〜１５号証を提出して、以下の主張をしている。
　　　　　　　　　
　本件発明１〜３は、下記甲第１〜３号証に記載された発明であるか、下記甲第１〜１４号証に記載された発明に基づいて当業者が容易に発明することができたものであるから、本件特許は、特許法第２９条第１、２項の規定に違反してなされたものである。
　本件発明１〜３は、下記甲第１５号証に係る出願の明細書に記載された発明と同一であるから、本件特許は、同法第２９条の２の規定に違反してなされたものである。
　よって、本件特許は、同法第１１３条第２号に該当し、同法第１１４条第２項の規定により取り消されるべきものである。
　　　　　　　　　　　　　　
甲第１号証：特開平5-139950号公報
甲第２号証：特開昭60-214721号公報
甲第３号証：特開平3-190809号公報
甲第４号証：フレグランスジャーナル、1996年2月号、31〜34頁
甲第５号証：特開平7-126149号公報
甲第６号証：特開平7-277944号公報
甲第７号証：特開昭61-194008号公報
甲第８号証：特開平5-25032号公報
甲第９号証：特開平7-277939号公報
甲第１０号証：特開平8-20522号公報
甲第１１号証：特開昭61-289010号公報
甲第１２号証：特開平6-279256号公報
甲第１３号証：特開昭59-93011号公報
甲第１４号証：特開平5-246874号公報
甲第１５号証：特願平7-208505号の明細書（平成７年７月２５日出願）
　　　　　　〔特開平9-30931号公報（平成9年2月4日出願公開）〕
　
（２）異議申立てについての判断
　　　　　　　　　　　　
＜本件発明１について＞
　　　　　　　　　　
i）２９条第１項第３号に該当するか否か
　　　　　　　　　　　　　　　
　甲第１号証は申立人黒岩周一郎の提出した甲第５号証と同じであり、４．４−１(２)ii）に記載のとおり、（イ）の「カバノキ科バーチ」（シラカバ）、（ロ）の「バラ科トウニン」の例示はあるが、それらを併用した具体的処方例の開示はない。
　甲第２号証には、「シャクヤク・・オウゴン・・・のうち少なくとも１種の抽出物を必須成分として含有するシミ防止化粧料組成物」が記載されているが、本件発明１の（イ）、（ロ）に該当する植物エッセンスの記載はない。また、甲第３号証には、（イ）の「オトギリソウ科セイヨウオトギリソウ」、「ハス科ハス」に肌荒れ防止、改善、特に活性剤による炎症及び過剰なターンオーバーの亢進を静める効果があることやこれらを含有する化粧料の記載はあるが、本件発明１の（ロ）で示される植物エッセンスを使用することについては記載はない。
　よって、本件発明１は甲第１〜３号証に記載されたものではない。
　　　　　　　　　　　　　
ii）２９条第２項の規定に違反するか
　　　　　　　　　
　甲第５、１３号証には、（イ）の「ナツメ科タイソウ」を含有する化粧料、甲第６号証には、（ロ）の「キク科コウカ」を含有する化粧料、甲第７、１１号証には、（ロ）の「ウリ科ヘチマ」を含有する化粧料、甲第９号証には、（イ）の「カバノキ科バーチ」（シラカバ）、「オトギリソウ科オトギリソウ」を含有する化粧料、甲第１０号証には、（ロ）の「ウコギ科ニンジン」を含有する化粧料、及び甲第１４号証には、（ロ）の「バラ科トウニン」を含有する皮膚炎治療剤がそれぞれ記載されているが、これらは本件発明１の（イ）、（ロ）のどちらか一方の植物エッセンスを使用するに留まるものである。また、甲第４号証には、美白効果の高い美容液がくすみ改善効果を高く評価されること、甲第８号証には、肌あれ状態をテープストリッピング法で評価すること、及び甲第１２号証には、「バラ科エイジツ」、「ボタン科シャクヤク」を含有する化粧料が記載されているが、本件発明１の（イ）、（ロ）の植物エッセンスについては何等記載されていない。
　このように、上記各号証はいずれも、本件発明１の（イ）、（ロ）で示される植物エッセンスを併用して化粧料の配合成分とすることの記載や示唆がないものである。
　そして、甲第１〜１４号証を総合勘案しても、本件発明１の（イ）、（ロ）で示される植物エッセンスを併用して肌の微細構造の不均一性改善剤とする動機付けは導き出せないから、本件発明１が、甲第１〜１４号証に記載された発明に基づき、当業者が容易に想到し得たものとすることはできない。
 　　　　　　　　　　　　
iii）特許法第２９条の２に該当するか
　
　甲第１５号証は申立人黒岩周一郎の提出した甲第７号証と同じであるので、４．４−１(２)iii）と同様の理由により、本件発明１は甲第１５号証に記載された発明と同一ではない。
　　　
（本件発明２，３について）
　
 　本件発明２、３は何れも本件発明１のイ）、ロ）の植物エッセンスを併用するという特定事項を備えるものであるから、上記と同様の理由により、甲第１〜３号証と同一であるとも、甲第１〜１４号証から容易であるとすることもできず、また、甲第１５号証に記載された発明と同一でもない。
　　　　　　　
５．むすび
　
　以上のとおりであるから、いずれの特許異議申立ての理由及び証拠によっても、本件発明１〜３の特許を取り消すことはできない。
　また、他に本件発明１〜３の特許を取り消すべき理由を発見しない。
　
　よって、結論のとおり決定する。
【異議決定日】
平成１７年７月１日（２００５．７．１）
【訂正の要旨】
審決（決定）の【理由】欄参照。
（５４）【発明の名称】
肌の不均一性改善増強剤及びそれを含有する組成物
（５７）【特許請求の範囲】
　【請求項１】次の（イ）に示す肌の不均一性改善作用を有する植物のエッセンスから選ばれる１種または２種以上と、（ロ）に示す肌の不均一性改善増強作用を有する植物のエッセンスから選ばれる１種または２種以上とからなる、低輝度分布の不均一性、メラニン分布の不均一性または角層剥離の不均一性によって生じる肌の微細構造の不均一性を改善する、肌の微細構造の不均一性改善剤；
　（イ）カバノキ科バーチ（Ｂｅｔｕｌａ　ｐｅｎｄｕｌａ　Ｒｏｔｈ．）、ナツメ科タイソウ（Ｚｉｚｙｐｈｕｓ　ｊｕｊｕｂａ　Ｍｉｌｌ．）
、オ
、イ
　（ロ）セリ科センキュウ（Ｌｉｇｕｓｔｉｃｕｍ　ｗａｌｌｉｃｈｉ　Ｆｒ．）
、ウ
、バ
　【請求項２】（イ）および（ロ）の植物のエッセンスが植物体の極性溶媒による抽出物である、請求項１に記載の肌の微細構造の不均一性改善剤。
　【請求項３】請求項１または２に記載の肌の微細構造の不均一性改善剤を含有するくすみ改善用の化粧料。
【発明の詳細な説明】
　【０００１】
　【発明の属する技術分野】
　本発明は、肌の不均一改善剤及び老化等に起因するくすみを改善予防するのに好適な当該肌の不均一改善増強剤と肌の不均一性改善剤とを含有する化粧料に関する。
　【０００２】
　【従来の技術】
　だれしも他人より美しく見られたいと言う願望を持っている。この為、美しく見えるためのメカニズムが研究され、その結果を踏まえた種々の化粧料が開発されてきた。例えば、ヒアルロン酸ナトリウム等の保湿成分を含有する化粧料は肌の水分保持量を向上させ、しわの形成を防ぐことが出来るし、アスコルビン酸誘導体を含有する化粧料は、メラニンの生成を抑制し肌の色が黒くなることを防ぐことが出来る。この様な技術革新の中において、いわゆる「くすみ」と言われる現象はそのメカニズムが今一つ明らかにされておらず、それを改善する化粧料はまだ開発されていないのが現状である。ここで言う「くすみ」とは、肌の色が赤味が減少して暗く見え、生き生きとした感じが無くたるみを感じる様な状態であり、体調の悪さや年齢を重ねるに従って増大することは既に知られており、だれしもこの様な状態にはなりたくはない。今まで開発された化粧料で処置することにより「くすみ」は改善することが出来るが、保湿化粧料がしわを改善したり、予防したりするほどには、或いは、美白化粧料がメラニンの生成を抑え白さを保つほどにはその効果は大きくはない。これは「くすみ」がこれらの生理現象と種類、原因を異にするためであると言われている。
　【０００３】
　本発明者等はこの様な状況下、「くすみ」の原因を求めて鋭意研究を重ねた結果、「くすみ」が肌の微細構造の不均一性に起因することを見いだした。しかし、この様な肌の不均一性、すなわち低輝度分布の不均一性、メラニン分布の不均一性または角層剥離の不均一性によって生じる肌の微細構造の不均一性を改善する素材については全く知られていないのが現状であった。
　【０００４】
　一方、次の（イ）に示す植物のエッセンスがこの様な肌の不均一性を改善すること、（ロ）に示す植物のエッセンスがこの様な肌の不均一性改善作用を増強すること及びその結果「くすみ」を著しく改善することは全く知られていなかった。
　（イ）カバノキ科バーチ（Ｂｅｔｕｌａ　ｐｅｎｄｕｌａ　Ｒｏｔｈ．）、ナツメ科タイソウ（Ｚｉｚｙｐｈｕｓ　ｊｕｊｕｂａ　Ｍｉｌｌ．）、バラ科エイジツ（Ｒｏｓａ　ｍｕｌｔｉｆｌｏｒａ　Ｔｈｕｎ．）、オトギリソウ科オトギリソウ（Ｈｙｐｅｒｉｃｕｍ　ｅｒｅｃｔｕｍ　Ｔｈｕｎ．）、オトギリソウ科セイヨウオトギリソウ（Ｈｙｐｅｒｉｃｕｍ　ｐｅｒｆｏｒａｔｕｍ　Ｌ．）、シソ科セージ（Ｓａｌｖｉａ　ｏｆｆｉｃｉｎａｌｉｓ　Ｌ．）、ボタン科シャクヤク（Ｐａｅｏｎｉａ　ｌａｃｔｉｆｌｏｒａ　Ｐａｌｌ）、イラクサ科イラクサ（Ｕｒｔｉｃａ　ｔｈｕｎｂｅｒｇｉａｎａ　Ｓｉｅ．又はＵｒｔｉｃａ　ｄｉｏｉｃａ　Ｌ．）、ハス科ハス（ＮｅｌｕｍｂｏｎａｃｅａｅＮｅｌｕｍｂｏ）
　（ロ）セリ科センキュウ（Ｌｉｇｕｓｔｉｃｕｍ　ｗａｌｌｉｃｈｉ　Ｆｒ．）、ショウガ科ウコン（Ｃｕｒｃｕｍａ　ｌｏｎｇａ　Ｌ．）、ウリ科ヘチマ（Ｌｕｆｆａ　ｃｙｌｉｎｄｒｉａ　Ｒｏｅｍ．）、ゴマノハグサ科ジオウ（Ｒｈｅｍａｎｉａ　ｇｌｕｔｉｎｏｓａ　Ｌｉｂ．）、キク科コウカ（Ｃａｒｔｈａｍｕｓ　ｔｉｎｃｔｏｒｉｕｓ　Ｌ．）、ウコギ科ニンジン（Ｐａｎａｘ　ｇｉｎｓｅｎｇ　Ｃ．Ａ．Ｍｅｙｅｒ）、セリ科オウゴン（Ｓｃｕｔｅｌｌａｒｉａ　ｂａｉｃａｌｅｎｓｉｓ　Ｇｅｏ．）バラ科トウニン（Ｐｕｒｎｕｓ　ｐｅｒｓｉｃａ　Ｂａｔ．）
　【０００５】
　【発明が解決しようとする課題】
　本発明はかかる状況下行われたものであり、肌の不均一性を改善する素材、肌の不均一性改善作用を増強する素材及びくすみを改善する化粧料を提供することを課題とする。
　【０００６】
　【課題を解決するための手段】
　かかる状況に鑑みて、本発明者等は「くすみ」の原因を求めて鋭意研究を重ねた結果、肌の不均一性が大きな要素であることを見いだした。この知見をもとに肌の不均一性を改善する作用を有する物質を求めて更なる研究を重ねた結果、次の（イ）に示す植物体のエッセンスにその様な作用を見いだした。更に検討を重ねたところ、この様な肌の不均一性改善作用に起因するくすみ改善作用を増強する作用を次の（ロ）に示す植物体のエッセンスが有することを見いだした。尚、検討を重ねた結果、これらの（イ）のエッセンスと（ロ）のエッセンスとを含有する化粧料に「くすみ」を改善する卓効があることを確認し発明を完成するに至った。以下、発明の実施の形態を中心に本発明について詳細に説明する。
　（イ）カバノキ科バーチ（Ｂｅｔｕｌａ　ｐｅｎｄｕｌａ　Ｒｏｔｈ．）、ナツメ科タイソウ（Ｚｉｚｙｐｈｕｓ　ｊｕｊｕｂａ　Ｍｉｌｌ．）、バラ科エイジツ（Ｒｏｓａ　ｍｕｌｔｉｆｌｏｒａ　Ｔｈｕｎ．）、オトギリソウ科オトギリソウ（Ｈｙｐｅｒｉｃｕｍ　ｅｒｅｃｔｕｍ　Ｔｈｕｎ．）、オトギリソウ科セイヨウオトギリソウ（Ｈｙｐｅｒｉｃｕｍ　ｐｅｒｆｏｒａｔｕｍ　Ｌ．）、シソ科セージ（Ｓａｌｖｉａ　ｏｆｆｉｃｉｎａｌｉｓ　Ｌ．）、ボタン科シャクヤク（Ｐａｅｏｎｉａ　ｌａｃｔｉｆｌｏｒａ　Ｐａｌｌ）、イラクサ科イラクサ（Ｕｒｔｉｃａ　ｔｈｕｎｂｅｒｇｉａｎａ　Ｓｉｅ．又はＵｒｔｉｃａ　ｄｉｏｉｃａ　Ｌ．）
　（ロ）セリ科センキュウ（Ｌｉｇｕｓｔｉｃｕｍ　ｗａｌｌｉｃｈｉ　Ｆｒ．）、ショウガ科ウコン（Ｃｕｒｃｕｍａ　ｌｏｎｇａ　Ｌ．）、ウリ科ヘチマ（Ｌｕｆｆａ　ｃｙｌｉｎｄｒｉａ　Ｒｏｅｍ．）、ゴマノハグサ科ジオウ（Ｒｈｅｍａｎｉａ　ｇｌｕｔｉｎｏｓａ　Ｌｉｂ．）、キク科コウカ（Ｃａｒｔｈａｍｕｓ　ｔｉｎｃｔｏｒｉｕｓ　Ｌ．）、ウコギ科ニンジン（Ｐａｎａｘ　ｇｉｎｓｅｎｇ　Ｃ．Ａ．Ｍｅｙｅｒ）、セリ科オウゴン（Ｓｃｕｔｅｌｌａｒｉａ　ｂａｉｃａｌｅｎｓｉｓ　Ｇｅｏ．）バラ科トウニン（Ｐｕｒｎｕｓ　ｐｅｒｓｉｃａ　Ｂａｔ．）
　【０００７】
　【発明の実施の形態】
　（１）本発明の肌の不均一性改善剤
　本発明で用いる肌の不均一性改善剤は次の（イ）に示す植物のエッセンス１種または２種以上からなる。ここでエッセンスとは、植物体そのもの、植物体の一部又は全部を乾燥、粉砕、細切等した加工物、植物体の一部又は全部、或いはそれらの加工物の溶媒抽出物又はその溶媒除去物、更にはそれらの分画物の総称である。これらのエッセンスの内最も好ましいものは植物体の一部又は全部、或いはそれらの加工物の溶媒抽出物又はその溶媒除去物である。溶媒抽出に用いる溶媒としては極性溶媒が好ましく、極性溶媒としては、例えば、メタノールやエタノール等のアルコール類、酢酸エチルや蟻酸メチル等のエステル類、アセトニトリル等のニトリル類、ジエチルエーテルやテトラヒドロフラン等のエーテル類、クロロホルムや塩化メチレン等のハロゲン化炭化水素類、アセトンやメチルエチルケトン等のケトン類、１，３−ブタンジオールやグリセリン等の多価アルコール類、水が好ましく例示できる。これらは単独で用いても２種以上を混合して用いても構わない。これらの内でより好ましいものは、アルコール類、多価アルコール類、水から選ばれる１種乃至は２種以上を用いて抽出する方法である。抽出の方法は、通常の方法に従って行えば良く、例えば、植物体や植物体の加工物に１〜１０倍の溶媒を加え、室温であれば数日、沸点付近の温度であれば数時間浸漬すれば良い。適宜撹拌を加えることもできる。かくして得られた抽出物はそのまま用いても良いし、溶媒を減圧溜去等で除去したりシリカゲルカラムクロマトグラフィーや液液抽出等で精製して使用しても構わない。以下に、製造例を示す。
　（イ）カバノキ科バーチ（Ｂｅｔｕｌａ　ｐｅｎｄｕｌａ　Ｒｏｔｈ．）、ナツメ科タイソウ（Ｚｉｚｙｐｈｕｓ　ｊｕｊｕｂａ　Ｍｉｌｌ．）、バラ科エイジツ（Ｒｏｓａ　ｍｕｌｔｉｆｌｏｒａ　Ｔｈｕｎ．）、オトギリソウ科オトギリソウ（Ｈｙｐｅｒｉｃｕｍ　ｅｒｅｃｔｕｍ　Ｔｈｕｎ．）、オトギリソウ科セイヨウオトギリソウ（Ｈｙｐｅｒｉｃｕｍ　ｐｅｒｆｏｒａｔｕｍ　Ｌ．）、シソ科セージ（Ｓａｌｖｉａ　ｏｆｆｉｃｉｎａｌｉｓ　Ｌ．）、ボタン科シャクヤク（Ｐａｅｏｎｉａ　ｌａｃｔｉｆｌｏｒａ　Ｐａｌｌ）、イラクサ科イラクサ（Ｕｒｔｉｃａ　ｔｈｕｎｂｅｒｇｉａｎａ　Ｓｉｅ．又はＵｒｔｉｃａ　ｄｉｏｉｃａ　Ｌ．）
　【０００８】
［製造例１］バーチの葉、樹皮、木部１Ｋｇに１，３−ブタンジオール１Ｋｇを加え、９０℃で３時間加熱した後、不溶物を濾別し、肌の不均一性改善剤１を０．８Ｋｇ得た。
　【０００９】
［製造例２］バーチの葉、樹皮、木部１Ｋｇに５０％エタノール水溶液１０ｌを加え、２時間還流し、不溶物を濾別し、溶媒を溜去して６８ｇの肌の不均一性改善剤２を得た。
　【００１０】
［製造例３］タイソウの実の乾燥物１Ｋｇに５０％エタノール水溶液１０ｌを加え、２時間還流し、不溶物を濾別し、溶媒を溜去して４３０ｇの肌の不均一性改善剤３を得た。
　【００１１】
［製造例４］エイジツの果実の乾燥物１Ｋｇに５０％エタノール水溶液１０ｌを加え、２時間還流し、不溶物を濾別し、溶媒を溜去して１８０ｇの肌の不均一性改善剤４を得た。
　【００１２】
［製造例５］オトギリソウの全草１Ｋｇに５０％エタノール水溶液１０ｌを加え、２時間還流し、不溶物を濾別し、溶媒を溜去して１４４ｇの肌の不均一性改善剤５を得た。
　【００１３】
［製造例６］セイヨウオトギリソウの全草１Ｋｇに５０％エタノール水溶液１０ｌを加え、２時間還流し、不溶物を濾別し、溶媒を溜去して１３８ｇの肌の不均一性改善剤６を得た。
　【００１４】
［製造例７］シャクヤクの根部１Ｋｇに５０％エタノール水溶液１０ｌを加え、２時間還流し、不溶物を濾別し、溶媒を溜去して２５１ｇの肌の不均一性改善剤７を得た。
　【００１５】
［製造例８］イラクサの葉１Ｋｇに５０％エタノール水溶液１０ｌを加え、２時間還流し、不溶物を濾別し、溶媒を溜去して１６５ｇの肌の不均一性改善剤８を得た。
　【００１６】
［製造例９］ハス科ハスの根茎１Ｋｇに５０％エタノール１０ｌを加え、２時間還流し、不溶物を濾別し溶媒を溜去して１２３ｇの肌の不均一性改善剤９を得た。
　【００１７】
　（２）本発明の肌の不均一性改善増強剤
　本発明の肌の不均一性改善増強剤は、次の（ロ）に示す植物体のエッセンス１種または２種以上からなる。ここでエッセンスとは、植物体そのもの、植物体の一部又は全部を乾燥、粉砕、細切等した加工物、植物体の一部又は全部、或いはそれらの加工物の溶媒抽出物又はその溶媒除去物、更にはそれらの分画物の総称である。これらのエッセンスの内最も好ましいものは植物体の一部又は全部、或いはそれらの加工物の溶媒抽出物又はその溶媒除去物である。溶媒抽出に用いる溶媒としては極性溶媒が好ましく、極性溶媒としては、例えば、メタノールやエタノール等のアルコール類、酢酸エチルや蟻酸メチル等のエステル類、アセトニトリル等のニトリル類、ジエチルエーテルやテトラヒドロフラン等のエーテル類、クロロホルムや塩化メチレン等のハロゲン化炭化水素類、アセトンやメチルエチルケトン等のケトン類、１，３−ブタンジオールやグリセリン等の多価アルコール類、水が好ましく例示できる。これらは単独で用いても２種以上を混合して用いても構わない。これらの内でより好ましいものは、アルコール類、多価アルコール類、水から選ばれる１種乃至は２種以上を用いて抽出する方法である。抽出の方法は、通常の方法に従って行えば良く、例えば、植物体や植物体の加工物に１〜１０倍の溶媒を加え、室温であれば数日、沸点付近の温度であれば数時間浸漬すれば良い。適宜撹拌を加えることもできる。かくして得られた抽出物はそのまま用いても良いし、溶媒を減圧溜去等で除去したりシリカゲルカラムクロマトグラフィーや液液抽出等で精製して使用しても構わない。以下に、製造例を示す。
　（ロ）セリ科センキュウ（Ｌｉｇｕｓｔｉｃｕｍ　ｗａｌｌｉｃｈｉ　Ｆｒ．）、ショウガ科ウコン（Ｃｕｒｃｕｍａ　ｌｏｎｇａ　Ｌ．）、ウリ科ヘチマ（Ｌｕｆｆａ　ｃｙｌｉｎｄｒｉａ　Ｒｏｅｍ．）、ゴマノハグサ科ジオウ（Ｒｈｅｍａｎｉａ　ｇｌｕｔｉｎｏｓａ　Ｌｉｂ．）、キク科コウカ（Ｃａｒｔｈａｍｕｓ　ｔｉｎｃｔｏｒｉｕｓ　Ｌ．）、ウコギ科ニンジン（Ｐａｎａｘ　ｇｉｎｓｅｎｇ　Ｃ．Ａ．Ｍｅｙｅｒ）、セリ科オウゴン（Ｓｃｕｔｅｌｌａｒｉａ　ｂａｉｃａｌｅｎｓｉｓ　Ｇｅｏ．）バラ科トウニン（Ｐｕｒｎｕｓ　ｐｅｒｓｉｃａ　Ｂａｔ．）
　【００１８】
［製造例１０］セリ科センキュウの根茎１Ｋｇに５０％エタノール１０ｌを加え、２時間還流し、不溶物を濾別し溶媒を溜去して１３５ｇの肌の不均一性改善増強剤１を得た。
　【００１９】
［製造例１１］ショウガ科ウコンの塊根１Ｋｇに５０％エタノール１０ｌを加え、２時間還流し、不溶物を濾別し溶媒を溜去して１８１ｇの肌の不均一性改善増強剤２を得た。
　【００２０】
［製造例１２］ウリ科ヘチマの地上部１Ｋｇに５０％エタノール１０ｌを加え、２時間還流し、不溶物を濾別し溶媒を溜去して１２３ｇの肌の不均一性改善増強剤３を得た。
　【００２１】
［製造例１３］ゴマノハグサ科ジオウの根部１Ｋｇに５０％エタノール１０ｌを加え、２時間還流し、不溶物を濾別し溶媒を溜去して３２２ｇの肌の不均一性改善増強剤４を得た。
　【００２２】
［製造例１４］キク科コウカの花１Ｋｇに５０％エタノール１０ｌを加え、２時間還流し、不溶物を濾別し溶媒を溜去して８５ｇの肌の不均一性改善増強剤５を得た。
　【００２３】
［製造例１５］ウコギ科ニンジンの根部１Ｋｇに５０％エタノール１０ｌを加え、２時間還流し、不溶物を濾別し溶媒を溜去して１８５ｇの肌の不均一性改善増強剤６を得た。
　【００２４】
［製造例１６］セリ科オウゴンの根部１Ｋｇに５０％エタノール１０ｌを加え、２時間還流し、不溶物を濾別し溶媒を溜去して１６５ｇの肌の不均一性改善増強剤７を得た。
　【００２５】
［製造例１７］バラ科トウニンの仁１Ｋｇに５０％エタノール１０ｌを加え、２時間還流し、不溶物を濾別し溶媒を溜去して１０５ｇの肌の不均一性改善増強剤８を得た。
　【００２６】
　（３）本発明の化粧料
　本発明の化粧料は上記肌の不均一性改善剤と肌の不均一性改善増強剤を含有することを特徴とする。肌の不均一性改善剤或いは肌の不均一性改善増強剤は唯一種を含有させても良いし、二種以上を含有させても良い。本発明の化粧料の種類は、通常一般的に知られている化粧料であれば特段の限定は受けず、例えば、クリームや乳液などの基礎化粧料、ファンデーション、リップカラー等のメークアップ化粧料、ヘアオイル、ヘアトニック、シャンプー、リンス等の頭髪化粧料、マニキュアやペディキュア等の美爪料、ボディーシャンプーや石鹸などの洗浄料、バスバブルやバスエッセンス等の浴用剤等が好ましく例示できる。これは、本発明の肌の不均一性改善剤が肌の不均一性のみならず、肌に近い人体組織の不均一性も改善できるため、髪の毛や爪にも好ましい作用を発現できるからである。本発明の化粧料における、肌の不均一性改善剤の好ましい含有量は、０．００１〜１０重量％であり、０．０１〜５重量％がより好ましく、０．０５〜１重量％が更に好ましい。本発明の化粧料における、肌の不均一性改善増強剤の好ましい含有量は、０．００１〜１０重量％であり、０．０１〜５重量％がより好ましく、０．０５〜１重量％が更に好ましい。肌の不均一性改善剤と肌の不均一性改善増強剤の好ましい割合は、１：９〜９：１で、１：４〜４：１がより好ましく、１：３〜３：１が更に好ましい。本発明の化粧料は、これら肌の不均一性改善剤及び肌の不均一性改善増強剤以外に通常化粧料で用いられる任意成分を含有することが出来る。この様な任意成分としては、ワセリンやマイクロクリスタリンワックス等のような炭化水素類、ホホバ油やゲイロウ等のエステル類、牛脂、オリーブ油等のトリグリセライド類、セタノール、オレイルアルコール等の高級アルコール類、ステアリン酸、オレイン酸等の脂肪酸、グリセリンや１，３−ブタンジオール等の多価アルコール類、非イオン界面活性剤、アニオン界面活性剤、カチオン界面活性剤、両性界面活性剤、エタノール、カーボポール等の増粘剤、防腐剤、紫外線吸収剤、抗酸化剤、色素、粉体類等が例示できる。これらの原料を通常の方法で処理することにより、本発明の化粧料を製造することが出来る。本発明の化粧料は肌の不均一性を改善してくすみを改善予防する作用を有する。従って、本発明の化粧料は、化粧する人を実年令より若く見せることが出来、老化の予防改善用の化粧料としても好適である。
　【００２７】
　【実施例】
［実施例１］
　下記処方に従って化粧水を作成した。即ち、処方成分を８０℃で加熱溶解し攪拌冷却し化粧水を得た。
１，３−ブタンジオール　　　　　　　　　　　　　　　　　　　　　５重量部
グリセリン　　　　　　　　　　　　　　　　　　　　　　　　　　　５重量部
ヒアルロン酸ナトリウム　　　　　　　　　　　　　　　　　　　０．１重量部
メチルパラベン　　　　　　　　　　　　　　　　　　　　　　　０．１重量部
肌の不均一性改善剤１　　　　　　　　　　　　　　　　　　　　０．１重量部
肌の不均一性改善増強剤１　　　　　　　　　　　　　　　　　　０．３重量部
塩化ベンザルコニウム　　　　　　　　　　　　　　　　　　　　０．１重量部
燐酸二水素ナトリウム　　　　　　　　　　　　　　　　　　　　０．１重量部
エタノール　　　　　　　　　　　　　　　　　　　　　　　　　　　７重量部
ＰＯＥ（６０）硬化ヒマシ油　　　　　　　　　　　　　　　　　０．１重量部
香料　　　　　　　　　　　　　　　　　　　　　　　　　　　　０．１重量部
水　　　　　　　　　　　　　　　　　　　　　　　　　　　　　　８２重量部
　【００２８】
［実施例２］
　下記処方に従って化粧水を作成した。即ち、処方成分を８０℃で加熱溶解し攪拌冷却し化粧水を得た。
１，３−ブタンジオール　　　　　　　　　　　　　　　　　　　　　５重量部
グリセリン　　　　　　　　　　　　　　　　　　　　　　　　　　　５重量部
ヒアルロン酸ナトリウム　　　　　　　　　　　　　　　　　　　０．１重量部
メチルパラベン　　　　　　　　　　　　　　　　　　　　　　　０．１重量部
肌の不均一性改善剤２　　　　　　　　　　　　　　　　　　　　０．１重量部
肌の不均一性改善増強剤２　　　　　　　　　　　　　　　　　　０．１重量部
肌の不均一性改善剤３　　　　　　　　　　　　　　　　　　　　０．５重量部
塩化ベンザルコニウム　　　　　　　　　　　　　　　　　　　　０．１重量部
燐酸二水素ナトリウム　　　　　　　　　　　　　　　　　　　　０．１重量部
エタノール　　　　　　　　　　　　　　　　　　　　　　　　　　　７重量部
ＰＯＥ（６０）硬化ヒマシ油　　　　　　　　　　　　　　　　　０．１重量部
香料　　　　　　　　　　　　　　　　　　　　　　　　　　　　０．１重量部
水　　　　　　　　　　　　　　　　　　　　　　　　　　　　８１．７重量部
　【００２９】
［実施例３］
　下記処方に従って化粧水を作成した。即ち、処方成分を８０℃で加熱溶解し攪拌冷却し化粧水を得た。
１，３−ブタンジオール　　　　　　　　　　　　　　　　　　　　　５重量部
グリセリン　　　　　　　　　　　　　　　　　　　　　　　　　　　５重量部
コンドロイチン硫酸ナトリウム　　　　　　　　　　　　　　　　０．１重量部
メチルパラベン　　　　　　　　　　　　　　　　　　　　　　　０．１重量部
肌の不均一性改善剤４　　　　　　　　　　　　　　　　　　　　０．５重量部
肌の不均一性改善増強剤３　　　　　　　　　　　　　　　　　　０．１重量部
肌の不均一性改善増強剤４　　　　　　　　　　　　　　　　　　０．１重量部
塩化ベンザルコニウム　　　　　　　　　　　　　　　　　　　　０．１重量部
燐酸二水素ナトリウム　　　　　　　　　　　　　　　　　　　　０．１重量部
エタノール　　　　　　　　　　　　　　　　　　　　　　　　　　　７重量部
ＰＯＥ（６０）硬化ヒマシ油　　　　　　　　　　　　　　　　　０．１重量部
香料　　　　　　　　　　　　　　　　　　　　　　　　　　　　０．１重量部
水　　　　　　　　　　　　　　　　　　　　　　　　　　　　８１．７重量部
　【００３０】
［実施例４］
　下記処方に従ってクリームを作成した。即ち、イ、ロ、ハの各成分を８０℃で加熱溶解し、イを良く混練りし、ロを加え希釈し、ハを徐々に加えて乳化した。これを攪拌冷却しクリームを得た。
　イ
１，３−ブタンジオール　　　　　　　　　　　　　　　　　　　　　５重量部
７０％マルチトール水溶液　　　　　　　　　　　　　　　　　　　１０重量部
メチルパラベン　　　　　　　　　　　　　　　　　　　　　　　０．３重量部
ブチルパラベン　　　　　　　　　　　　　　　　　　　　　　　０．１重量部
トリグリセリンジイソステアレート　　　　　　　　　　　　　　　　４重量部
　ロ
流動パラフィン　　　　　　　　　　　　　　　　　　　　　　　　　７重量部
カルナウバワックス　　　　　　　　　　　　　　　　　　　　　　　３重量部
ジメチコン（１ｃ．ｓ．）　　　　　　　　　　　　　　　　　　　　４重量部
　ハ
水　　　　　　　　　　　　　　　　　　　　　　　　　　　　６５．４重量部
肌の不均一性改善剤５　　　　　　　　　　　　　　　　　　　　０．５重量部
肌の不均一性改善剤６　　　　　　　　　　　　　　　　　　　　０．５重量部
肌の不均一性改善増強剤５　　　　　　　　　　　　　　　　　　０．１重量部
肌の不均一性改善増強剤６　　　　　　　　　　　　　　　　　　　　１重量部
ヒアルロン酸ナトリウム　　　　　　　　　　　　　　　　　　　０．１重量部
　【００３１】
［実施例５］
　下記処方に従ってファンデーションを作成した。即ち、イ、ロ、ハの各成分を８０℃で加熱溶解し、イを良く混練りし、ロを加え希釈し、ニを加え分散し、ハを徐々に加えて乳化した。これを攪拌冷却しファンデーションを得た。
　イ
１，３−ブタンジオール　　　　　　　　　　　　　　　　　　　　　５重量部
７０％マルチトール水溶液　　　　　　　　　　　　　　　　　　　１０重量部
メチルパラベン　　　　　　　　　　　　　　　　　　　　　　　０．３重量部
ブチルパラベン　　　　　　　　　　　　　　　　　　　　　　　０．１重量部
トリグリセリンジイソステアレート　　　　　　　　　　　　　　　　４重量部
　ロ
流動パラフィン　　　　　　　　　　　　　　　　　　　　　　　　　７重量部
カルナウバワックス　　　　　　　　　　　　　　　　　　　　　　　３重量部
ジメチコン（１ｃ．ｓ．）　　　　　　　　　　　　　　　　　　　　４重量部
　ハ
水　　　　　　　　　　　　　　　　　　　　　　　　　　　　４８．９重量部
肌の不均一性改善剤７　　　　　　　　　　　　　　　　　　　　０．５重量部
肌の不均一性改善増強剤７　　　　　　　　　　　　　　　　　　０．１
ヒアルロン酸ナトリウム　　　　　　　　　　　　　　　　　　　０．１重量部
ニ酸化チタン　　　　　　　　　　　　　　　　　　　　　　　　　　８重量部
タルク　　　　　　　　　　　　　　　　　　　　　　　　　　　　　３重量部
セリサイト　　　　　　　　　　　　　　　　　　　　　　　　　　　２重量部
黄色酸化鉄　　　　　　　　　　　　　　　　　　　　　　　　　　　３重量部
ベンガラ　　　　　　　　　　　　　　　　　　　　　　　　　　　　２重量部
　【００３２】
［実施例６］
　下記処方に従ってヘアトニックを作成した。即ち処方成分を秤込み、室温で攪拌可溶化しヘアトニックを得た。
エチニルエストラジオール　　　　　　　　　　　　　　　　　　０．１重量部
トウガラシチンキ　　　　　　　　　　　　　　　　　　　　　　０．１重量部
メントール　　　　　　　　　　　　　　　　　　　　　　　　　０．１重量部
肌の不均一性改善剤８　　　　　　　　　　　　　　　　　　　　０．１重量部
肌の不均一性改善増強剤８　　　　　　　　　　　　　　　　　　０．１重量部
エタノール　　　　　　　　　　　　　　　　　　　　　　　　　　４０重量部
１，３−ブタンジオール　　　　　　　　　　　　　　　　　　　　　５重量部
水　　　　　　　　　　　　　　　　　　　　　　　　　　　　５４．５重量部
　【００３３】
［実施例７］
　下記処方に従って浴用剤を作成した。即ち処方成分をニーダーに秤込み、良く混練りし浴用剤を得た。
硫酸ナトリウム　　　　　　　　　　　　　　　　　　　　　　　　６０重量部
ラベンダーオイル　　　　　　　　　　　　　　　　　　　　　　　１０重量部
１，３−ブタンジオール　　　　　　　　　　　　　　　　　　　　１０重量部
肌の不均一性改善剤９　　　　　　　　　　　　　　　　　　　　　　１重量部
肌の不均一性改善増強剤１　　　　　　　　　　　　　　　　　　　１０重量部
グリセリン　　　　　　　　　　　　　　　　　　　　　　　　　　　９重量部
　【００３４】
［実施例８］
　本発明の肌の不均一性改善剤１〜９について、肌の不均一性改善増強剤１の存在下、肌の不均一性改善作用を測定した。即ち、ボランティア２０名の上腕に０．８ＭＥＤの紫外線Ｂ照射を２回行い、不均一な肌モデルを作成し、ここに検体を４週間投与し、５週間後にその形態を観察した。形態の観察事項は、低輝度部分の分布判定、メラニン分布の判定、角層剥離の不均一性であった。低輝度部分の分布判定は、肌に斜め４５度より光を照射し、ＣＣＤカメラで画像として取り込んだ場合の低輝度部分の分布の均一性を評点２：極めて均一、評点１：均一、評点０．５：やや均一、評点０：不均一で肉眼によって判定した。メラニンの分布は、セロファンテープで角層をストリッピングしフォンタナ・マッソン染色及びヘマトキシリン・エオジン染色を行い、顕微鏡下細胞毎のメラニン分布を肉眼で観察し、次の基準で判定した。評点２：分布が極めて均一、評点１：分布が均一、０．５：分布がやや均一、０：分布が不均一。又、この時、同時に角層の剥離の仕方も次の基準で判定した。評点２：剥離の仕方が極めて均一、評点１：剥離の仕方が均一、０．５：剥離の仕方がやや均一、０：剥離の仕方が不均一。結果を表１に平均評点として示す。尚、検体は、それぞれの肌の不均一性改善剤を１％の濃度で、肌の不均一性改善増強剤１を１％の濃度で５０％エタノール水溶液に溶かしたもので、コントロールは５０％エタノール水溶液を用いた。又、無処置は紫外線照射を行わず何も投与しなかった。対照１は肌の不均一性改善増強剤を加えず、肌の不均一性改善剤１を加えたもの、対照２は肌の不均一性改善剤を加えず肌の不均一性改善増強剤１のみを加えたものを用いた。これより、本発明の肌の不均一性改善剤と肌の不均一性改善増強剤の組み合わせは肌の不均一性改善作用に優れることが判る。更に、肌の不均一性改善増強剤のみでは肌の不均一性改善が出来ないことも判る。
　【００３５】
　【表１】
　【００３６】
［実施例９］
　本発明の肌の不均一性改善増強剤１〜８について、肌の不均一性改善剤１の存在下、肌の不均一性改善作用を測定した。即ち、ボランティア２０名の上腕に０．８ＭＥＤの紫外線Ｂ照射を２回行い、不均一な肌モデルを作成し、ここに検体を４週間投与し、５週間後にその形態を観察した。形態の観察事項は、低輝度部分の分布判定、メラニン分布の判定、角層剥離の不均一性であった。低輝度部分の分布判定は、肌に斜め４５度より光を照射し、ＣＣＤカメラで画像として取り込んだ場合の低輝度部分の分布の均一性を評点２：極めて均一、評点１：均一、評点０．５：やや均一、評点０：不均一で肉眼によって判定した。メラニンの分布は、セロファンテープで角層をストリッピングしフォンタナ・マッソン染色及びヘマトキシリン・エオジン染色を行い、顕微鏡下細胞毎のメラニン分布を肉眼で観察し、次の基準で判定した。評点２：分布が極めて均一、評点１：分布が均一、０．５：分布がやや均一、０：分布が不均一。又、この時、同時に角層の剥離の仕方も次の基準で判定した。評点２：剥離の仕方が極めて均一、評点１：剥離の仕方が均一、０．５：剥離の仕方がやや均一、０：剥離の仕方が不均一。結果を表１に平均評点として示す。尚、検体は、それぞれの肌の不均一性改善剤１を１％の濃度で、肌の不均一性改善増強剤１〜８を１％の濃度で５０％エタノール水溶液に溶かしたもので、コントロールは５０％エタノール水溶液を用いた。又、無処置は紫外線照射を行わず何も投与しなかった。対照１は肌の不均一性改善増強剤を加えず、肌の不均一性改善剤１を加えたもの、対照２は肌の不均一性改善剤１を加えず肌の不均一性改善増強剤１のみを加えたものを用いた。結果を平均評点として表２に示す。これより、本発明の肌の不均一性改善剤と肌の不均一性改善増強剤の組み合わせは肌の不均一性改善作用に優れることが判る。
　【００３７】
　【表２】
［実施例１０］
　実施例１の化粧水を用いて、くすみに悩む女性１群２０名を用いて、使用テストを行った。即ち、検体の化粧水を朝、晩１日２回２ヶ月間塗布してもらい、くすみの改善をアンケートで答えてもらった。対照群１は実施例１の肌の不均一性改善剤１を水に置換したものを用い、対照群２は肌の不均一性改善増強剤１を水に置換したものを用い、対照群３は肌の不均一性改善剤１と肌の不均一性改善増強剤１とを水に置換したものを用いた。結果を表３に示す。これより本発明の化粧料はくすみの改善作用に優れることが判る。
　【００３８】
　【表３】
　【００３９】
　【発明の効果】
　本発明によれば、肌の不均一性を改善し、くすみを改善する素材が提供できる。